(57)【要約】【課題】特別な道具や部材を用いることなく、前面パネルをユーザの好みや使用条件にあわせて容易に変更する。【解決手段】ケース１と、ケース１の前面に取り付けられる前面パネル２と、前面プレート３は本体部３１と、透光部材３２と、導光部材３３と、ボタン部材３４と、貫通孔３５と、係合凸部３６と、弾性係合部３７とを備え、前面パネル２の前面に着脱可能に取り付けられる前面プレート３とを有している。【選択図】図２
2007299061.tif 000002
【特許請求の範囲】
【請求項１】
ケースと、
前記ケースの前面に着脱可能に取り付けられる前面パネルとを有し、
前記前面パネルは、前面に複数の面押しボタンと、光を出射し動作状態を示す動作表示部と、リモートコントローラからの光信号を受光する受光部と、光ディスクが入出する開口部とを備えており、前記光ディスクの再生又は記録を行う電子機器であって、
長尺形状を有する本体部と、前記本体部長手方向の一方の端部の背面より長手方向に伸びる係合凸部と、前記本体部の他方の端部に一体形成される弾性係合部と、前記本体部の背面に回動可能に取り付けられ一部が前記本体部の前面に突出するとともに回動することで前記面押しボタンを押すボタン部材と、前記動作表示部より出射される光を透過させるとともに前記本体部の前面側に出射させる透光部材と、前記受光部に光を導く導光部材と、前記開口部を通過する光ディスクを通過させるための貫通孔とを備えた前面プレートを有し、
前記弾性係合部は２つの平板が曲面を介して連結されたＵ字形状を有し、一方の端部が前記前面プレートと一体連設され、他方の端部が前面プレートの前面よりも突出するように形成されており、前記他方の端部側の平板には逆戻り防止用の楔部が形成されており、
前記前面パネルは前記係合凸部が挿入される貫通孔と、前記弾性係合部を受け入れる凹部と、前記凹部の内面に形成され前記楔部と係合する係合部とを有していることを特徴とする電子機器。
【請求項２】
ケースと、
記録メディアが通過する開口部を備え前記ケースの前面に着脱可能に取り付けられる前面パネルとを有し、前記記録メディアの再生又は記録を行う電子機器であって、
前記本体部の背面の長手方向の一方の端部に一体に取り付けられる係合凸部と、前記本体部の背面の他方の端部より直交する方向に突出する弾性係合部と備えた前面プレートを有し、
前記前面パネルは前記係合凸部が挿入される貫通孔と、前記弾性係合部を受け入れる凹部と、前記凹部の内面に形成され前記弾性係合部と係合する係合部とを有していることを特徴とする電子機器。
【請求項３】
前記弾性係合部は２つの平板が曲面を介して連結されたＵ字形状を有し、一方の端部が前記前面プレートと一体連設され、他方の端部が前面プレートの前面よりも突出するように形成されており、前記他方の端部側の平板には逆戻り防止用の楔部が形成されていることを特徴とする請求項２に記載の電子機器。
【請求項４】
前記前面パネルには背面に回動可能に固定され、一部が前面より突出する面押しボタンが備えられており、
前記前面プレートには背面に回動可能に取り付けられ一部が該前面プレートの前面より突出しているとともに、回動することで前記面押しボタンを押すボタン部材を有することを特徴とする請求項２又は請求項３に記載の電子機器。
【請求項５】
前記前面パネルの前面には電子機器の動作状態を光を出射して知らせる動作表示部が備えられており、
前記前面プレートには前記動作表示部より出射される光を前面プレートの背面側から前面側に透過させる透光部材を有することを特徴とする請求項２から請求項４のいずれかに記載の電子機器。
【請求項６】
前記前面パネルの前面にはユーザによって操作されるリモートコントローラからの光信号を受光する受光部が備えられており、
前記前面プレートには、リモートコントローラより出射された光信号を前記前面パネルに配置された受光部に導く導光部を備えていることを特徴とする請求項２から請求項５のいずれかに記載の電子機器。
【請求項７】
前記前面プレートには、前記開口部に前記記録メディアを通過させるときに、該記録メディアが通過するための貫通孔が形成されていることを特徴とする請求項２から６のいずれかに記載の電子機器。
【発明の詳細な説明】
【技術分野】
【０００１】
本発明は、機能にあったボタン、受光部、導光部等の構成を備えるとともに、ユーザの好みに応じて外装のデザインを容易に変更することができる電子機器に関するものである。
【背景技術】
【０００２】
音響機器、映像機器等の電子機器は、前面に前記電子機器の操作を行うための面押しボタンを多数備えているものが多い。前記電子機器では、例えば該電子機器がＤＶＤ（Ｄｉｇｉｔａｌ  Ｖｅｒｓａｔｉｌｅ  Ｄｉｓｃ）プレーヤの場合、電源入／切、再生、停止、ディスク排出等の操作を行うことができる面押しボタンを有しており、各面押しボタンを押すことで該面押しボタンに関連付けられた操作を行うことができる。
【０００３】
前記ＤＶＤプレーヤでは内部にＤＶＤプレーヤユニット、基板、電源等を備えたケースの前面側に前面パネルを取り付ける。前記前面パネルには、記録メディア（ここでは、ＤＶＤメディア）を挿通するための開口と、出射する光によって前記ＤＶＤプレーヤの状態を示す表示部と、前記ＤＶＤプレーヤを操作するためのボタン等を有している。
【０００４】
前記ＤＶＤプレーヤは短辺と長辺を有する略長方形状の前面パネルを持つものが多い。これまでのＤＶＤプレーヤは前面パネルが横長になるように配置されるものが多かったが、ＤＶＤプレーヤが小型化されるにつれ縦長になるように配置されるものも出てきている。また、縦長にも横長にも配置できるものも出てきている。
【０００５】
しかしながら、ＤＶＤプレーヤが横長、縦長両方に配置することができるものの場合、前面パネルに配置される面押しボタンの表面に形成されている記号や、該面押しボタンの近傍に形成されている操作に関する停止、再生、電源等の記載が傾いてしまい、ユーザの操作性が悪くなる。そこで、特開２００５−１８３７７１号公報や、特開２００３−３０４０７３号公報に記載の発明では、フロントパネルを容易に着脱することができるものが示されている。このように、フロントパネルが容易に取り替えられるので、横長配置、縦長配置両方に対応させてフロントパネルを取り替えることで良好な操作性を有するＤＶＤプレーヤになるように形成することができる。
【０００６】
また、ＤＶＤプレーヤが小型化されたことにより、家具の見えやすい場所に配置されることが多くなり、該ＤＶＤプレーヤの前面パネルを個人の好みや家具、調度品に合わせたいというユーザの要望が増えてきている。
【０００７】
そこで、特開平８−３２０７３９号公報に記載の発明は、ハウジングに着脱自在のスカートを、コンピュータの内部を塵等にさらすことなく取り外しできるものが示されている。前記スカートをユーザの好みに合わせることで、ハウジングの外観及びデザインをユーザの好みに合わせることができるものである。
【特許文献１】特開２００３−３０４０７３号公報
【特許文献２】特開２００５−１８３７７１号公報
【特許文献３】特開平８−３２０７３９号公報
【発明の開示】
【発明が解決しようとする課題】
【０００８】
しかしながら、ＤＶＤプレーヤのフロントパネル全体を交換するものの場合、ユーザによる交換が行われると、埃、塵、水分等が浸入して不具合を起こす可能性がある。また、ユーザが内部のＤＶＤプレーヤ内部の機器にアクセスすることができるため、ユーザが内部を操作したことによる事故や故障等が発生する危険がある。
【０００９】
しかしながら、特開平８−３２０７３９号公報に記載の発明では、前記スカートの表面のデザインを容易に変更することができるものであり、前記スカートで面押しボタン、表示部、リモートコントローラの受光部等を覆ってしまうと、その機能を十分に生かすことができない。
【００１０】
そこで本発明は、特別な道具や部材を用いることなく、前面パネルをユーザの好みにあわせて容易に変更することができる電子器機を提供することを目的とする。
【課題を解決するための手段】
【００１１】
上記目的を達成するために本発明は、ケースと、記録メディアが通過する開口部を備え前記ケースの前面に着脱可能に取り付けられる前面パネルとを有し、前記記録メディアの再生又は記録を行う電子機器であって、前記本体部の背面の長手方向の一方の端部に一体に取り付けられる係合凸部と、前記本体部の背面の他方の端部より直交する方向に突出する弾性係合部と備えた前面プレートを有し、前記前面パネルは前記係合凸部が挿入される貫通孔と、前記弾性係合部を受け入れる凹部と、前記凹部の内面に形成され前記弾性係合部と係合する係合部とを有していることを特徴とする。
【００１２】
この構成によると前記前面プレートが前記前面パネルに着脱可能に取り付けられているとともに、前記弾性係合部を用いて係合しているので、ボルトやリベット、接着剤等の着脱の障害になるものを利用していない。
【００１３】
このことによると、ユーザであっても前記前面プレートを容易に着脱することができ、前記前面プレートをユーザの好みにあったもの（例えば、電子機器が配置されている場所の雰囲気に合うもの等）に容易に変更することが可能である。
【００１４】
上記構成において前記弾性係合部は２つの平板が曲面を介して連結されたＵ字形状を有し、一方の端部が前記前面プレートと一体連設され、他方の端部が前面プレートの前面よりも突出するように形成されており、前記他方の端部側の平板には逆戻り防止用の楔部が形成されていてもよい。
【００１５】
このように構成することで、前記前面プレートの着脱が容易になる。
【００１６】
上記構成において前記前面パネルには背面に回動可能に固定され、一部が前面より突出する面押しボタンが備えられており、前記前面プレートには背面に回動可能に取り付けられ一部が該前面プレートの前面より突出しているとともに、回動することで前記面押しボタンを押すボタン部材を有するものとしてもよい。
【００１７】
この構成によると、縦型配置及び横型配置を選択的に行うことができる電子機器の場合であって、前記前面パネルの前面に前記面押しボタンに関連付けられた機能を文字で表記されている場合であっても、前記前面パネルに記載されている文字と直交するように文字を表記した前面プレートを用いることで操作性を向上させることができる。
【００１８】
また上記構成において前記前面パネルの前面には電子機器の動作状態を光を出射して知らせる動作表示部が備えられており、前記前面プレートには前記動作表示部より出射される光を前面プレートの背面側から前面側に透過させる透光部材を有するものとしてもよい。
【００１９】
この構成によると、縦型配置及び横型配置を選択的に行うことができる電子機器の場合であって、前記前面パネルの前面に前記動作表示部が示す動作を文字で表記されている場合であっても、前記前面パネルに記載されている文字と直交するように文字を表記した前面プレートを用いることで操作性を向上させることができる。
【００２０】
さらに上記構成において前記前面パネルの前面にはユーザによって操作されるリモートコントローラからの光信号を受光する受光部が備えられており、前記前面プレートには、リモートコントローラより出射された光信号を前記前面パネルに配置された受光部に導く導光部を備えているものとしてもよい。
【００２１】
また、前記前面プレートには、前記開口部に前記記録メディアを通過させるときに、該記録メディアが通過するための貫通孔が形成されているものとしてもよい。
【００２２】
上記目的を達成するために本発明は、ケースと、前記ケースの前面に着脱可能に取り付けられる前面パネルとを有し、前記前面パネルは、前面に複数の面押しボタンと、光を出射し動作状態を示す動作表示部と、リモートコントローラからの光信号を受光する受光部と、光ディスクが入出する開口部とを備えており、前記光ディスクの再生又は記録を行う電子機器であって、長尺形状を有する本体部と、前記本体部長手方向の一方の端部の背面より長手方向に伸びる係合凸部と、前記本体部の他方の端部に一体形成される弾性係合部と、前記本体部の背面に回動可能に取り付けられ一部が前記本体部の前面に突出するとともに回動することで前記面押しボタンを押すボタン部材と、前記動作表示部より出射される光を透過させるとともに前記本体部の前面側に出射させる透光部材と、前記受光部に光を導く導光部材と、前記開口部を通過する光ディスクを通過させるための貫通孔とを備えた前面プレートを有し、前記弾性係合部は２つの平板が曲面を介して連結されたＵ字形状を有し、一方の端部が前記前面プレートと一体連設され、他方の端部が前面プレートの前面よりも突出するように形成されており、前記他方の端部側の平板には逆戻り防止用の楔部が形成されており、前記前面パネルは前記係合凸部が挿入される貫通孔と、前記弾性係合部を受け入れる凹部と、前記凹部の内面に形成され前記楔部と係合する係合部とを有していることを特徴とする。
【００２３】
この構成によると前記前面プレートが前記前面パネルに着脱可能に取り付けられているとともに、前記弾性係合部を用いて係合しているので、ボルトやリベット、接着剤等の着脱の障害になるものを利用していない。
【００２４】
このことによると、ユーザであっても前記前面プレートを容易に着脱することができ、前記前面プレートをユーザの好みにあったもの（例えば、電子機器が配置されている場所の雰囲気に合うもの等）に容易に変更することが可能である。
【００２５】
この構成によると、縦型配置及び横型配置を選択的に行うことができる電子機器の場合であって、前記前面パネルの前面に前記面押しボタンに関連付けられた機能及び（又は）前記動作表示部が示す動作を文字で表記されている場合であっても、前記前面パネルに記載されている文字と直交するように文字を表記した前面プレートを用いることで操作性を向上させることができる。
【発明の効果】
【００２６】
本発明によると、特別な道具や部材を用いることなく、前面パネルをユーザの好みにあわせて変更することができる電子器機を提供することができる。
【発明を実施するための最良の形態】
【００２７】
以下に本発明の実施形態を図面を参照して説明する。図１に本発明にかかる電子機器の一例の正面図を、図２に図１に示す電子機器の前面部の縦断面図を、図３に図１に示す電子機器の前面部の横断面図を示す。図１に示す電子機器はそれには限定されないが、ここではＤＶＤプレーヤである。図１、図２、図３に示すＤＶＤプレーヤＰＬは、ケース１と、ケース１の前面に取り付けられる前面パネル２と、前面パネル２の前面に着脱可能に取り付けられる前面プレート３とを有している。
【００２８】
前面パネル２は正面視略長方形状に形成されているものであり、図１では図中上下方向に長く形成されている。図２に示すように前面パネル２は外部に光を出射して電子機器の動作状態を知らせるための動作表示部２１と、ユーザにより操作されるリモートコントローラ（図示省略）より出射される光信号を受光する受光部２２と、前面パネル２の背面に取り付けられ、一部が前面パネルの前面側より露出する面押しボタン２３と、前面パネル２に形成され光ディスクが通過する開口部２４と、図中上部に左右に並んで形成されている２個の貫通孔２５と、図中下部に形成されている１個の凹部２６とを有している。
【００２９】
動作表示部２１は内部に配置された基板Ｂｐに配置されているＬＥＤ等の発光素子Ｌｅより出射された光を前面パネル２の背面側から前面側に通過させる導光レンズである。また、導光レンズに限定されるものではなく、開口のみが形成されているもの、開口の端部にリブが形成されており、光を導くことができるようになっているもの、発光素子が直接前面パネル２を貫通突設されているもの等、ユーザが正確に認識することができるものを広く採用することが可能である。動作表示部２１はそれには限定されないが、出射される光の色によって、ＤＶＤプレーヤＰＬの動作状態をユーザに知らせるものである。
【００３０】
受光部２２はリモートコントローラ（図示省略）より出射された光を受光するものであり、基板上Ｂｐに配置された受光素子に光を導くものであるが、それに限定されるものではなく、受光素子の光を受光する受光部が前面パネル２の前面より突出するように配置されていてもよい。
【００３１】
図３に示すように面押しボタン２３は、それには限定されないが、ここでは従来より用いられているものであり、電源、停止、再生、ＤＶＤメディア排出の各機能に関連付けられているものである。面押しボタン２３は、前面パネル２の背面側に固定される固定部２３１と、前面パネル２の前面側に突出する面押し部２３２と、面押し部２３２の背面に形成される押圧部２３３と、面押し部２３２と固定部２３１とを連結し、弾性的に撓むヒンジ部２３４とを有している。面押し部２３２には、各面押しボタン２３が関連付けられている機能に対応した記号が形成されている。
【００３２】
面押しボタン２３は、前面パネル２の前面より突出した面押し部２３２が押されると、ヒンジ部２３４が撓むとともに、固定部２３１を中心に回動し、押圧部２３３が基板Ｂｐに配置されたスイッチＳｔを押すものである。
【００３３】
開口部２４は内部に配置されるディスクユニットＤｕに光ディスク（ここではＤＶＤメディア）を挿入、排出するときに、光ディスクが通過する開口である。ディスクユニットＤｕはそれには限定されないが、ここでは、光ディスクをそのままロード、アンロードするスロットイン型のディスクユニットである。
【００３４】
貫通孔２５は、後述の前面プレート３に形成される係合凸部３６が挿通される孔であり、矩形状を有している。凹部２６は後述の前面プレート３に形成される弾性係合部３７が受け入れられる凹部であり、内面２６０に弾性係合部３７に備えられる楔部３７４と係合するための係合部２６１を有している。
【００３５】
図１及び図２に示すように前面プレート３は長尺形状に形成された本体部３１と、動作表示部２１より出射された光を透過させ本体部３１の前面側より出射させる透光部材３２と、受光部２２にリモートコントローラより出射された光を導く導光部材３３と、面押しボタン２３を押すためのボタン部材３４と、光ディスクを通過させるための貫通孔３５と、貫通孔２５と係合する係合凸部３６と、凹部２６と係合する弾性係合部３７とを有している。
【００３６】
本体部３１は背面側の周囲より立ち上がる立ち上がり部３１０を有している。前面プレート３を前面パネル２に取り付けたときに立ち上がり部３１０が前面パネル２と当接するように形成されている。
【００３７】
透光部材３２は動作表示部２１からの光を、導光部材３３はリモートコントローラからの光をそれぞれ透過させるものであり、それには限定されないがここでは、導光レンズが使用されている。また、導光部材３３には、リモートコントローラより出射された光以外の光を遮断することのできる導光レンズを備えている。透光部材３２及び導光部材３３は背面側がそれぞれ、動作表示部２１及び受光部２２と対面している。
【００３８】
ボタン部材３４は面押しボタン２３と同様の構成を有し、同様の方法で本体部３１の背面に取り付けられている。すなわち、ボタン部材３４は、本体部３１の背面側に固定される固定部３４１と、本体部３１の前面側に突出する面押し部３４２と、面押し部３４２の背面に形成される押圧部３４３と、面押し部３４２と固定部３４１とを連結し、弾性的に撓むヒンジ部３４４とを有している。
【００３９】
ボタン部材３４の前面側には、面押しボタン２３と同様の記号が形成されており、ボタン部材３４は、面押しボタン２３に形成されている記号と同じ記号を備えたものが面押しボタン２３の前面に配置されるように、本体部３１に取り付けられている。  ボタン部材３４は面押し部３４２が押されることで、ヒンジ部３４４がたわみ、面押し部３４２、押圧部３４３が回動する。ボタン部材３４が回動することで、押圧部３４３が面押しボタン２３の面押し部２３２を押圧する。面押しボタン２３の動作は上述したとおりであり、ボタン部材３４の面押し部３４２を押すことで、スイッチＳｔが押下される。
【００４０】
貫通孔３５は開口部２４と前後に並ぶように配置されるものであり、開口部２４よりもわずかに大きく形成されている。正面から見ると、貫通孔３５は開口部２４を囲むように配置されている。
【００４１】
係合凸部３６は本体部３１の図中上端部に形成されるものであり、立ち上がり部３１０の背面側の端部より長手方向に伸びるように形成されている。係合凸部３６は正面側から見て左右に分かれて２個並んで配置されている。
【００４２】
弾性係合部３７は第１平板部３７１と、第２平板部３７２と、曲面部３７３とを有するＵ字形状であり、本体部３１の図中下端部の中央に形成されている。第１平板部３７１は本体部３１と一体に形成されている。第１平板部３７１と第２平板部３７２は曲面部３７３を介して一体に連結されている。第２平板部３７２の下面（換言すると、第１平板部３７１と対面している面と反対側の面）には、楔部３７４が形成されている。第２平板部３７２の端部は本体部３１の前面よりも突出して形成されている。楔部３７４は、第２平板部３７２の端部に向けて広がる三角柱形状を有している。
【００４３】
前面プレート３を前面パネル２に取り付ける手順を以下に示す。図４に前面プレートを取り付ける途中の断面図を、図５に前面プレートを取り外した状態の前面パネル及び前面プレートの正面図を示す。まず、係合凸部３６を貫通孔２５に挿通させる。係合凸部３６を貫通孔２５に挿通させた状態で、本体部３１を回動させ、弾性係合部３７の曲面部３７３を凹部２６に挿入する。凹部２６の前面側端部と楔部３７４と当接すると、楔部３７４が凹部２６に押される。そして、弾性係合部３７が弾性変形するとともに、更に奥に向けて移動することで、凹部２６に形成されている係合部２６１と楔部３７４が係合し、弾性係合部３７は凹部２６に抜けないように受け入れられる。
【００４４】
前面プレート３を前面パネル２に取り付けた状態では、透光部材３２、導光部材３３及び貫通孔３５の背面側と前面パネル２の動作表示部２１、受光部２２、開口部２４とが対向するように配置される。またボタン部材３４の押圧部３４３は面押しボタン２３の面押し部２３２と非接触で近接して配置されているが、それに限定されるものではなく、接触して配置されてもよい。しかしながら、前面プレート３の本体部３１に力が付加され、本体部３１が変形し、ボタン部材３４の押圧部３４３が面押しボタン２３の面押し部２３２を押してしまい、誤作動するのを防ぐために、ボタン部材３４の押圧部３４３と面押しボタン２３の面押し部２３２は離間していることが好ましい。
【００４５】
前面パネル２より前面プレート３を取り外すときは、弾性係合部３７の第２平板部３７２の端部を第１平板部３７１側に押し、弾性係合部３７を弾性的に変形させる。弾性変形部３７が変形すると、楔部３７４と係合部２６１との係合が外れる。楔部３７４の係合が外れた状態で、前面プレート３を係合凸部３６を中心にして、取り付け時と反対方向に回動させることで、取り外すことができる。
【００４６】
前記前面プレート３を取り外した状態で電子機器を使用する場合に、デザイン性を高めるとともに、内部に異物が挿入するのを防ぐために、貫通孔２５及び凹部２６に蓋部材を取り付けるようにしてもよい。
【００４７】
このように、前面パネル２に着脱可能の前面プレート３を備えていることで、前面パネル２だけのときに比べて、電子機器（ＤＶＤプレーヤＰＬ）を容易にユーザの好みに合った意匠に変更することが可能である。また、縦型及び横型に選択的に配置できる電子機器で、前面パネル２に面押しボタン２３に関連付けられた操作や、動作表示部２１が示す動作について文字で記されている場合であっても、前面パネル２と直交するように文字を表記した前面プレート３を取り付けることで、配置向きにあった文字が記されている電子機器とすることができ、それだけ、操作が容易な電子機器とすることが可能である。
【００４８】
上述の実施例において、弾性係合部３７としてＵ字状に形成され、楔部を備えたものを例に説明しているが、それに限定されるものではなく、例えば、本体部３１の立ち上がり部３１０より突出し、端部に楔部を備えているもののように、楔部が係合部と係合して抜け止めされるとともに、弾性係合部を弾性変形させることで楔部と係合部との係合を容易に話すことができる形状のものを広く採用することができる。
【００４９】
上述の実施例において、前面プレート３は、透光部材３２、導光部材３３、ボタン部材３４、貫通孔３５を備えており、それぞれ、前面パネル２の動作表示部２１、受光部２２、面押しボタン２３、開口部２４と対向するように配置されているものを例に説明しているが、それに限定されるものではなく、前面プレートに透光部材３２、導光部材３３、ボタン部材３４、貫通孔３５がまったく取り付けられておらず、前面プレートが前面パネルの動作表示部２１、受光部２２、面押しボタン２３、開口部２４が形成されていない部分を覆う形状であっても良い。また、１個又は複数個を備えておき、対応する部分を覆う形状のものであっても良い。
【００５０】
上記実施例において、電子機器としてＤＶＤメディアの再生を行うＤＶＤプレーヤを採用しているが、それに限定されるものではなく、記録メディアを用いて再生又は記録する電子機器（例えば、ＣＤ、ＭＤ等）を広く採用することができる。
【産業上の利用可能性】
【００５１】
本発明は、ＤＶＤ、ＣＤ、ＭＤ等の記録メディアを再生する電子機器の筐体として適用することができる。
【図面の簡単な説明】
【００５２】
【図１】本発明にかかる電子機器の一例の正面図である。
【図２】図１に示す電子機器の前面部の縦断面図である。
【図３】図１に示す電子機器の前面部の横断面図である。
【図４】前面プレートを取り付ける途中の断面図である。
【図５】前面プレートを取り外した状態の前面パネル及び前面プレートの正面図である。
【符号の説明】
【００５３】
１  ケース
２  前面パネル
２１  動作表示部
２２  受光部
２３  面押しボタン
２４  開口部
２５  貫通孔
２６  凹部
３  前面プレート
３１  本体部
３２  透光部材
３３  導光部材
３４  ボタン部材
３５  貫通孔
３６  係合凸部
３７  弾性係合部
【図１】
2007299061.tif 000003
【図２】
2007299061.tif 000004
【図３】
2007299061.tif 000005
【図４】
2007299061.tif 000006
【図５】
2007299061.tif 000007